(57)【要約】本発明は、ＴＤＤ-ＣＤＭＡシステムにおいて隣接セルのマルチユーザジョイント検出を行う方法であって、タイムスロットタイプを予め設定し、該方法は、ネットワーク側の設備が、管轄する全てのセルの各上りタイムスロットのタイムスロットタイプを配置し、各セルの基地局が、その隣接セル内の各上りタイムスロットのタイムスロットタイプをネットワーク側の設備から取得するステップと、ネットワーク側の設備が、各セル内の各上りタイムスロットのタイムスロットタイプ及び各ユーザの上りサービスタイプに基づいて、各ユーザのために、自身の上りデータを送信するためのタイムスロット、及び使用するトレーニングシーケンスとチャネライゼションコードをそれぞれ配置するステップと、各セル内のユーザが、配置されたタイムスロットにおいて、配置されたトレーニングシーケンス及びチャネライゼションコードを使用して上りデータを送信するステップと、基地局が、隣接セルのユーザから送信され受信した上りデータに基づいて、隣接セルにおいてアクティブ化されたコードチャネルを検出し、さらに隣接セルの各上りタイムスロットのタイムスロットタイプに基づいて各ユーザが使用するトレーニングシーケンスを取得し、基地局に提供して隣接セルに対するジョイント検出を完成させるステップとを含む。
2008546260.tif 000002
【特許請求の範囲】
【請求項１】
ＴＤＤ-ＣＤＭＡシステムにおいて隣接セルのマルチユーザジョイント検出を行う方法であって、
タイムスロットタイプを予め設定し、各タイムスロットタイプが、各上りタイムスロットが採用する拡散因子、チャネル推定ウィンドウ数、及びトレーニングシーケンスとチャネライゼションコードとの対応関係を定義しており、
上記方法は、
ネットワーク側の設備が、管轄する全てのセルの各上りタイムスロットのタイムスロットタイプを配置し、各セルの基地局が、その隣接セル内の各上りタイムスロットのタイムスロットタイプをネットワーク側の設備から取得するステップａと、
ネットワーク側の設備が、各セル内の各上りタイムスロットのタイムスロットタイプ及び各ユーザの上りサービスタイプに基づいて、上りデータを送信するためのタイムスロット、及び使用するトレーニングシーケンスとチャネライゼションコードを各ユーザにそれぞれ配置するステップｂと、
各セル内の各ユーザが、配置されたタイムスロットにおいて、配置されたトレーニングシーケンス及びチャネライゼションコードを使用して上りデータを送信するステップｃと、
基地局が、隣接セルのユーザから送信され受信した上りデータに基づいて、隣接セルにおいてアクティブ化されたコードチャネルを検出し、上記アクティブ化されたコードチャネルのチャネライゼションコードに基づいて、隣接セルの各上りタイムスロットのタイムスロットタイプによって該隣接セル内の各ユーザが使用するトレーニングシーケンスを取得し、基地局に提供して基地局が隣接セルに対してマルチユーザジョイント検出を行うようにするステップｄと
を含むことを特徴とする方法。
【請求項２】
ステップａにおいて、前記ネットワーク側の設備が、管轄する全てのセルの各上りタイムスロットのタイムスロットタイプを配置することは、
ネットワーク側の設備が、予め定義された各セル内の上りタイムスロットのタイムスロットタイプに基づいて、前記全てのセル内の各上りタイムスロットのタイムスロットタイプを配置することであることを特徴とする請求項１の方法。
【請求項３】
ステップａにおいて、前記ネットワーク側の設備が、管轄する全てのセルの各上りタイムスロットのタイムスロットタイプを配置することは、
ネットワーク側の設備が、各セル内の各ユーザの上りサービスタイプに基づいて、前記全てのセル内の各上りタイムスロットのタイムスロットタイプを配置し、配置したタイムスロットタイプを該当するセルの基地局に通知することであることを特徴とする請求項１の方法。
【請求項４】
ネットワーク側の設備は、ＮＢＡＰメッセージを通じで、本セルの各上りタイムスロットのタイムスロットタイプを前記基地局に通知することを特徴とする請求項３の方法。
【請求項５】
ネットワーク側の設備は、操作保守メッセージを通じて、セルの各上りタイムスロットのタイムスロットタイプを前記基地局に通知することを特徴とする請求項３の方法。
【請求項６】
ステップａにおいて、基地局は、ＮＢＡＰメッセージを通じで、その隣接セル内の各上りタイムスロットのタイムスロットタイプをネットワーク側の設備から取得することを特徴とする請求項１の方法。
【請求項７】
ステップａにおいて、基地局は、操作保守メッセージを通じで、その隣接セル内の各上りタイムスロットのタイムスロットタイプをネットワーク側の設備から取得することを特徴とする請求項１の方法。
【請求項８】
ステップｂにおいて、前記配置は、ＴＤＤ-ＣＤＭＡシステムの高層シグナリングによって実現されることを特徴とする請求項１の方法。
【請求項９】
ステップｄにおいて、前記検出は、アクティブ化検出アルゴリズムを採用することを特徴とする請求項１の方法。
【請求項１０】
前記隣接セル内の各ユーザが使用するチャネライゼションコード及びトレーニングシーケンスを取得するステップｄは、
基地局が、検出したアクティブ化されたコードチャネルに基づいて、検出した各コードチャネルのチャネライゼションコードを確定するステップｄ１と、
基地局が、検出した各コードチャネルのチャネライゼションコードに基づいて、その隣接セルの各上りタイムスロットのタイムスロットタイプで定義したチャネライゼションコードとトレーニングシーケンスの対応関係に応じて、各チャネライゼションコードに対応するトレーニングシーケンスを取得するステップｄ２と
を含むことを特徴とする請求項１の方法。
【発明の詳細な説明】
【技術分野】
【０００１】
本発明は、時分割複信符号分割多重接続（ＴＤＤ-ＣＤＭＡ）システムのマルチユーザジョイント検出技術に係り、特に、ＴＤＤ-ＣＤＭＡシステムにおいて隣接セルのマルチユーザジョイント検出を行う方法に関する。
【背景技術】
【０００２】
ＣＤＭＡシステムにおいて、複数のユーザの信号は時間領域と周波数領域とにおいて混合して重なっている。各ユーザの信号の間に一定の相関性を有するため、異なるユーザの信号は受信側において一定の相互干渉を生じることになる。このような干渉を多重接続干渉（ＭＡI）という。一のユーザによる多重接続干渉は非常に小さいが、ユーザ数の増加又は信号パワーの増大につれて、多重接続干渉がＣＤＭＡシステムの主要干渉の一つとなる。
【０００３】
ＴＤＤ-ＣＤＭＡシステムは、マルチユーザジョイント検出技術を用いて上記多重接続干渉を解消し、システムの耐干渉能力を向上させることができる。上記マルチユーザジョイント検出とは、受信側が、受信信号を分離する過程において、多重接続干渉を干渉信号と見なさず、例えば、多重接続干渉に含まれる各ユーザが使用するトレーニングシーケンス（Ｍiｄａｍｂｌe）及び各ユーザが使用するチャネライゼションコードなどのユーザ情報を充分に利用して、受信した信号から、全てのユーザの信号を同時に分離することである。上述のマルチユーザジョイント検出技術によれば、ＴＤＤ-ＣＤＭＡシステムの耐干渉能力を大幅に高めるとともに、システムの容量とカバー範囲を増大させることができる。
【０００４】
マルチユーザジョイント検出を行う前提の１つは、各ユーザが使用するＭiｄａｍｂｌe及びチャネライゼションコードを含む検出待ち各ユーザのユーザ情報を取得することである。時分割−同期符号分割多重接続（ＴＤ-ＳＣＤＭＡ）システムにおいて、基地局が、まず、アクティブ化検出アルゴリズムにより、現在どのコードチャネルがアクティブ化されたかを判断し、そして、各コードチャネルのチャネライゼションコードとＭiｄａｍｂｌeとの対応関係に基づいて各コードチャネルに対応するＭiｄａｍｂｌeを取得して、チャネル推定などを行い、マルチユーザのジョイント検出を完成することができる。
【０００５】
通常、チャネライゼションコードとＭiｄａｍｂｌeとの対応関係は、予め定義したＭiｄａｍｂｌeの割り当て方式で確定でき、又は、ネットワーク側から高層シグナリングによって基地局に通知できる。プロトコルの規定によると、Ｍiｄａｍｂｌeの割り当ては、デフォルト（Default）方式、普通（Common）方式及び特殊（Specific）方式の３種類を有する。ＴＤ-ＳＣＤＭＡプロトコルは、異なるＭiｄａｍｂｌe割り当て方式を採用し、異なるチャネル推定ウィンドウ数ＫのときのＭiｄａｍｂｌeとチャネライゼションコードとの対応関係を定義した。
【発明の開示】
【発明が解決しようとする課題】
【０００６】
Ｍiｄａｍｂｌeの割り当て方式は多種類存在し、且つ、異なる割り当て方式においてＭiｄａｍｂｌeとチャネライゼションコードとの対応関係は異なる。また、隣接セルの間のＭiｄａｍｂｌeの割り当て方式が互いに関連しないため、実際の応用過程において、基地局でもユーザ設備（ＵＥ）でも本セルのユーザのユーザ情報しか取得できず、隣接セルのユーザ情報は取得することができない。こうなると、上記マルチユーザジョイント検出過程は、本セル内の実施に限られ、隣接セルのユーザの上り信号と本セルのユーザの上り信号とを統括してマルチユーザジョイント検出を行うことができない。即ち、上記マルチユーザジョイント検出は、本セルのユーザ間の多重接続干渉しか抑制できず、隣接セルのユーザによる多重接続干渉は解消することができない。隣接セルと本セルの稼動周波数が異なる場合、隣接セルの多重接続干渉は、システムの容量と性能に大きな影響を与えることはないが、同一周波数のネットワーキングを採用する場合、隣接セルのユーザによる多重接続干渉は無視することができない。
【課題を解決するための手段】
【０００７】
上記問題を解消するために、本発明は、ＴＤＤ-ＣＤＭＡシステムにおいて隣接セルのマルチユーザジョイント検出を行う方法を提供する。該方法によって、基地局は、隣接セルのユーザが使用するＭiｄａｍｂｌe及びチャネライゼションコードを正確に取得することができ、それによって隣接セルのユーザに対してマルチユーザのジョイント検出を行うことができる。
【０００８】
本発明による方法は、タイムスロットタイプを予め設定し、各タイムスロットタイプは、各上りタイムスロットが採用する拡散因子、チャネル推定ウィンドウ数、及びトレーニングシーケンスとチャネライゼションコードとの対応関係を定義している。
【０００９】
上記方法は、
ネットワーク側の設備が、管轄する全てのセルの各上りタイムスロットのタイムスロットタイプを配置し、各セルの基地局が、その隣接セル内の各上りタイムスロットのタイムスロットタイプを前記ネットワーク側の設備から取得するステップａと、
ネットワーク側の設備が、各セル内の各上りタイムスロットのタイムスロットタイプ及び各ユーザの上りサービスタイプに基づいて、上りデータを送信するためのタイムスロット、及び使用するトレーニングシーケンスとチャネライゼションコードを各ユーザにそれぞれ配置するステップｂと、
各セル内の各ユーザが、配置されたタイムスロット内において、配置されたトレーニングシーケンス及びチャネライゼションコードを使用して上りデータを送信するステップｃと、
基地局が、隣接セルのユーザから送信され受信した上りデータに基づいて、隣接セルにおいてアクティブ化されたコードチャネルを検出し、上記アクティブ化されたコードチャネルのチャネライゼションコードに基づいて、隣接セルの各上りタイムスロットのタイムスロットタイプによって該隣接セル内の各ユーザが使用するトレーニングシーケンスを取得し、基地局に提供して基地局が隣接セルに対してマルチユーザジョイント検出を行うようにするステップｄと
を含む。
【００１０】
ステップａにおいて、上記ネットワーク側の設備が、管轄する全てのセルの各上りタイムスロットのタイムスロットタイプを配置することは、ネットワーク側の設備が、予め定義された各セル内の上りタイムスロットのタイムスロットタイプに基づいて、上記全てのセル内の各上りタイムスロットのタイムスロットタイプを配置することである。
【００１１】
ステップａにおいて、上記ネットワーク側の設備が、管轄する全てのセルの各上りタイムスロットのタイムスロットタイプを配置することは、ネットワーク側の設備が、各セル内の各ユーザの上りサービスタイプに基づいて、上記全てのセルの各上りタイムスロットのタイムスロットタイプを配置し、配置したタイムスロットタイプを該当するセルの基地局に通知することである。
【００１２】
ネットワーク側の設備は、ＮＢＡＰメッセージを通じで、本セルの各上りタイムスロットのタイムスロットタイプを上記基地局に通知する。
【００１３】
ネットワーク側の設備は、操作保守メッセージを通じで、本セルの各上りタイムスロットのタイムスロットタイプを上記基地局に通知する。
【００１４】
ステップａにおいて、基地局は、ＮＢＡＰメッセージを通じで、その隣接セル内の各上りタイムスロットのタイムスロットタイプをネットワーク側の設備から取得する。
【００１５】
ステップａにおいて、基地局は、操作保守メッセージを通じで、その隣接セル内の各上りタイムスロットのタイムスロットタイプをネットワーク側の設備から取得する。
【００１６】
ステップｂにおいて、上記配置は、ＴＤＤ-ＣＤＭＡシステムの高層シグナリングによって実現される。
【００１７】
ステップｄにおいて、上記検出は、アクティブ化検出法を採用する。上記隣接セル内の各ユーザが使用するチャネライゼションコード及びトレーニングシーケンスを取得するステップｄは、
基地局が、検出したアクティブ化されたコードチャネルに基づいて、検出した各コードチャネルのチャネライゼションコードを確定するステップｄ１と、
基地局が、検出した各コードチャネルのチャネライゼションコードに基づいて、その隣接セルの各上りタイムスロットのタイムスロットタイプで定義するチャネライゼションコードとトレーニングシーケンスの対応関係に応じて、各チャネライゼションコードに対応するトレーニングシーケンスを取得するステップｄ２とを含む。
【００１８】
これによりわかることは、本発明は、複数種類のタイムスロットタイプを予め設定し、各基地局の各上りタイムスロットのタイムスロットタイプを確定した後、基地局にその隣接セルの各上りタイムスロットのタイムスロットタイプを通知することで、システムの基地局が、その隣接セルのユーザが使用するチャネライゼションコードとＭiｄａｍｂｌeとの対応関係を取得することができるようにする。そして、基地局がアクティブ化検出アルゴリズムで隣接セルのアクティブ化されたコードチャネルを検出したとき、該隣接セルの各ユーザが使用するチャネライゼションコード及びＭiｄａｍｂｌeを正確に取得することができる。これにより、基地局は、求めたユーザ情報をマルチユーザのジョイント検出過程に適用することができ、ＴＤＤ-ＣＤＭＡシステムの耐干渉能力を向上させるとともに、システムの容量及びカバー範囲を増加させる目的を達成することができる。
【発明を実施するための最良の形態】
【００１９】
本発明の目的、技術案及び優れた点を明らかにするために、以下、図面及び実施形態を参照して、本発明を更に詳しく説明する。
【００２０】
隣接セルのユーザに対するマルチユーザジョイント検出を実現するために、基地局は、隣接セルのユーザのユーザ情報を取得しなければならない。即ち、基地局は、隣接セルのユーザが使用するＭiｄａｍｂｌeとチャネライゼションコードをまず取得しなければならない。図１に示すように、本発明による方法は、主に次の手順を含む。
【００２１】
Ａ.ＴＤＤ-ＣＤＭＡシステムにおいて１つ以上のタイムスロットタイプを定義する。
【００２２】
本発明に係るタイムスロットタイプは、各上りタイムスロットにおいて採用する拡散因子を示す。また、異なるタイムスロットタイプは、異なるチャネル推定ウィンドウ数Ｋ、及び異なるＭiｄａｍｂｌeとチャネライゼションコードとの対応関係も定義している。
【００２３】
本発明の１つの最適な実施形態において、４種類のタイムスロットタイプを定義している。
【００２４】
・第１の種類：タイプ１  該タイムスロットのサービスデータが採用する拡散因子（ＳＦ）は８であり、シグナリングデータが採用するＳＦは１６であり、該タイムスロットが定義したチャネル推定ウィンドウ数Ｋは８であり、Ｍiｄａｍｂｌeとチャネライゼションコードとの対応関係は表１に示すとおりである。
【００２５】
【表１】
2008546260.tif 000003
【００２６】
・第２の種類：タイプ２  該タイムスロットのサービスデータが採用するＳＦは２であり、シグナリングデータが採用するＳＦは１６であり、該タイムスロットが定義したチャネル推定ウィンドウ数Ｋは２であり、Ｍiｄａｍｂｌeとチャネライゼションコードとの対応関係は表２に示すとおりである。
【００２７】
【表２】
2008546260.tif 000004
【００２８】
・第３の種類：タイプ３  該タイムスロットのサービスデータが採用するＳＦは８又は２である。ＳＦが２のとき、採用するチャネライゼションコードはｃ2(1)であり、シグナリングデータが採用するＳＦは１６であり、該タイムスロットが定義したチャネル推定ウィンドウ数Ｋは８であり、Ｍiｄａｍｂｌeとチャネライゼションコードとの対応関係は表３に示すとおりである。
【００２９】
【表３】
2008546260.tif 000005
【００３０】
・第４の種類：タイプ４  該タイムスロットのサービスデータが採用するＳＦは８又は２である。ＳＦが２のとき、採用するチャネライゼションコードはｃ2(2)である。シグナリングデータが採用するＳＦは１６であり、該タイムスロットが定義したチャネル推定ウィンドウ数Ｋは８であり、Ｍiｄａｍｂｌeとチャネライゼションコードとの対応関係は表４に示すとおりである。
【００３１】
【表４】
2008546260.tif 000006
【００３２】
表１〜表４において、＊付きのチャネライゼションコードは、補助チャネライゼションコードである。
【００３３】
本実施形態において定義した上述の４種類のタイムスロットタイプによって、各種類の典型的な上りサービスを実現することができる。例えば、速度が１２.２Ｋビット/秒（ｂｐｓ）の音声サービスは、上述のＳＦが８の一つのコードチャネルによって実現することができる。速度が３２Ｋｂｐｓのデータサービスは、上述のＳＦが８の二つのコードチャネルによって実現することができる。速度が６４Ｋｂｐｓのデータサービスは、上述のＳＦが２の一つのコードチャネルによって実現することができる。速度が１２８Ｋｂｐｓのデータサービスは、上述のＳＦが２の二つのコードチャネルによって実現することができる。単独のチャネル連携信号（ＣＡＳ：Ｃｈａｎｎｅｌ Ａｓｓｏｃｉａｔｅｄ  Ｓｉｇｎａｌｉｎｇ：）の場合、ＳＦが１６のコードチャネルで実現することができる。このことにより、本実施形態の方法は、各タイムスロットの拡散因子を限定しているが、ＴＤＤ-ＣＤＭＡシステムの正常な上りサービス伝送に影響を与えることがないことがわかる。
【００３４】
本実施形態で定義した上述のタイムスロットタイプは、単に本発明を実現できるような比較的好ましいタイムスロットタイプであって、上述のタイプ１〜タイプ４に限らず、各種類の典型的な上りサービスを実現できるようなタイムスロットタイプを任意に定義できることは、当該分野の技術者に理解されよう。また、各種類のタイムスロットが定義しているＭｉｄａｍｂｌeとチャネライゼションコードとの対応関係も、表１〜表４に示す対応関係に限らず、他の多種類の対応関係を有することができ、本発明の保護しようとする範囲から逸脱することがない。
【００３５】
従来のシステムとの互換のために、本発明による方法は、さらに第５の種類のタイムスロットタイプであるタイプ０を定義することができる。該タイムスロットタイプは、使用する拡散因子及びＭiｄａｍｂｌeとチャネライゼションコードとの対応関係に対していかなる制限もない。このようなタイムスロットタイプを使用するときに、ＵＥは、従来の方法で、上りサービス及びシグナリングデータを送信することができる。
【００３６】
Ｂ.ネットワーク側の設備（無線ネットワーク制御器ＲＮＣ）は、各セル内のユーザの上りサービスタイプに基づいて、各セルのために各上りタイムスロットのタイムスロットタイプをそれぞれ配置して、確定したタイムスロットタイプを各セルの各上りタイムスロットの全てに持たせるようにする。配置が完成した後、各セルの基地局にその隣接セル内の各上りタイムスロットのタイムスロットタイプを通知する。
【００３７】
上述のステップＢにおいて、ネットワーク側の設備は、複数の方式で、基地局の各上りタイムスロットのタイムスロットタイプを配置し、及び、各基地局にその隣接セルの上りタイムスロットのタイムスロットタイプを通知することができる。例えば、ＮＢＡＰ（Node Ｂ application part）メッセージで実現できるし、操作保守メッセージを介しても実現することができる。上述の最良の実施形態において全部で５種類のメッセージタイプを定義しているため、３つのビットで該５種類のタイムスロットタイプを識別することができる。
【００３８】
具体的な実施時に、ＴＤＤ-ＣＤＭＡシステムは、各セル内の各上りタイムスロットのタイムスロットタイプを予め確定してもよい。このようにすると、基地局とネットワーク側の設備（ＲＮＣ）が、各上りタイムスロットのタイムスロットタイプを直接確定することができ、ＮＢＡＰ又は操作保守メッセージを用いた上記情報の獲得を必要としない。
【００３９】
マルチユーザジョイント検出を実現するために、ネットワーク側の設備は、下りリンクにおいて、隣接セルの各上りタイムスロットのタイムスロットタイプを送信するとき、各基地局にその隣接セルが使用するコードグループ情報を同時に通知することが必要である。上記コードグループ情報は、例えば下りパイロットコード、スクランブリングコード、基本Ｍiｄａｍｂｌeなどの異なるセルを区分するための情報である。
【００４０】
Ｃ.ネットワーク側の設備は、ステップＢで配置した、各セルの上りタイムスロットタイプに基づいて、高層シグナリングを通じで、各セルの各ユーザに自身の上りサービスデータ又はシグナリングデータを送信するためのタイムスロット、使用するＭiｄａｍｂｌe、及びチャネライゼションコードを配置する。
【００４１】
該ステップにおいて、ネットワーク側の設備が、各ユーザが上りデータを送信するためのタイムスロット及び使用するＭiｄａｍｂｌeとチャネライゼションコードを配置することは、従来の無線リソース配置方法で実現することができる。
【００４２】
Ｄ.各セル内のユーザは、ネットワーク側の配置に基づいて、配置された上りタイムスロットにおいて、配置されたＭiｄａｍｂｌe及びチャネライゼションコードを使用して上りサービスとシグナリングデータを送信する。
【００４３】
Ｅ.基地局は、まず、隣接セルのコードグループ情報に基づいて、従来のアクティブ化検出アルゴリズムで、隣接セル内でどのコードチャネルがアクティブ化されたかを判断し、そして、ネットワーク側の設備から取得した、隣接セルの各タイムスロットのタイプに基づいて、隣接セルのユーザのＭiｄａｍｂｌeとチャネライゼションコードとの対応関係を取得する。上記アクティブ化されたコードチャネルのチャネライゼションコードに基づいて各ユーザが使用するＭiｄａｍｂｌeを取得し、さらに各ユーザが使用するＭiｄａｍｂｌeを利用してチャネル推定を行い、隣接セルに対するマルチユーザジョイント検出を完成する。
【００４４】
以下、本発明による方法を例を挙げて詳しく説明する。
【００４５】
セルＡとセルＢが隣接し、且つ、セルＡにおけるユーザＵＥ１は速度が６４ｋｂｐｓのデータサービスを行い、セルＡにおけるもう１つのユーザＵＥ２は速度が１２.２ｋｂｐｓの音声サービスを行うと仮定する。
【００４６】
ネットワーク側の設備は、まず、ＵＥ１とＵＥ２のサービスタイプ、及び予め定義したタイムスロットタイプに基づいて、ＵＥ１の６４ｋｂｐｓのデータサービスにはＳＦが２の一つのコードチャネルの使用が必要であり、ＵＥ２にはＳＦが８の一つのコードチャネルの使用が必要であることを確定する。従って、予め定義されたタイムスロットタイプに基づいて、セルＡが使用できる上りタイムスロットタイプがタイプ３又はタイプ４であることを確定できる。ネットワーク側の設備がタイムスロットタイプ３を選択する場合、ネットワーク側の設備は、確定した現在のタイムスロットタイプ３をセルＡの基地局に配置するとともに、セルＡが現在タイムスロットにおいて使用するタイムスロットタイプはタイプ３であることをセルＢの基地局に通知する。
【００４７】
そして、ネットワーク側の設備は、配置されたタイムスロットタイプ３に基づいて、高層シグナリングを通じで、セルＡ内の各ユーザが使用する無線リソースを配置する。即ち、ユーザＵＥ１が該タイムスロットにおいて使用するＭiｄａｍｂｌeをｍ(1)に配置し、使用するチャネライゼションコードをｃ2(1)に配置し、ユーザＵＥ２が該タイムスロットにおいて使用するＭiｄａｍｂｌeをｍ(5)、ｍ(6)、ｍ(7)又はｍ(8)に配置し、対応的に、ＵＥ２が使用するチャネライゼションコードをｃ8(5)、ｃ8(6)、ｃ8(7)又はｃ8(8)に配置する。
【００４８】
ネットワーク側の設備が、セルＡのユーザＵＥ２が該タイムスロットにおいて使用するＭiｄａｍｂｌeをｍ(5)に配置し、使用するチャネライゼションコードをｃ8(5)に配置する場合、該タイムスロットにおいて、ＵＥ１は、ｍ(1)を自身のＭiｄａｍｂｌeとし、チャネライゼションコードｃ2(1)を使用して上りデータを送信し、ＵＥ２は、ｍ(5)を自身のＭiｄａｍｂｌeとし、チャネライゼションコードｃ8(5)を使用して上りデータを送信する。
【００４９】
セルＡと隣接するセルＢは、セルＡのユーザが送信した上り信号を受信した後、従来のアクティブ化検出アルゴリズムで、現在のタイムスロットのセルＡのｃ2(1)とｃ8(5)がアクティブ化されたことを判断する。セルＢは、ネットワーク側の通知に基づいて、セルＡの現在のタイムスロットのタイムスロットタイプがタイプ３であることを既に知っている。そこで、セルＢの基地局は、タイムスロットタイプ３で定義したチャネライゼションコードとＭiｄａｍｂｌeとの対応関係に基づいて、セルＡの２つのユーザが使用するＭiｄａｍｂｌeがそれぞれｍ(1)とｍ(5)であることを取得できる。そして、セルＢの基地局は、取得した、セルＡのユーザが使用するＭiｄａｍｂｌeを用いてチャネル推定を行い、隣接セルのユーザのマルチユーザジョイント検出を完成する。
【００５０】
以上より、次のことがわかる。本発明による方法は、タイムスロットタイプを予め設定して、一定の方式で基地局が自身及び隣接セルの各上りタイムスロットのタイムスロットタイプを確定できるようにし、このようにして、隣接セルのアクティブ化されたコードチャネルを基地局がアクティブ化検出アルゴリズムで検出したとき、該隣接セルの各ユーザが使用するチャネライゼションコード及びＭiｄａｍｂｌeとを正確に取得することができ、基地局は、求めたユーザ情報をマルチユーザのジョイント検出過程に適用することができ、隣接セルのユーザに対するジョイント検出を実現することができる。
【図面の簡単な説明】
【００５１】
【図１】本発明による、隣接セルのユーザ情報を確定する方法のフローチャートを示す。
【図１】
2008546260.tif 000007
【国際調査報告】
2008546260.tif 000008
2008546260.tif 000009
2008546260.tif 000010
2008546260.tif 000011